(57)【特許請求の範囲】
【請求項１】
対向して設けられる２枚の第１側面板と、同様に対向して設けられる２枚の第２側面板と、２枚の蓋体とによってなる組み立て式の基板のキャリアケースにおいて、
前記２枚の第１側面板はそれぞれ左右に垂直側端縁部を有し、前記垂直側端縁部には少なくとも１組以上の水平方向に延伸する突起ブロックセットを一体に形成してなり、
前記２枚の第２側面板はそれぞれ左右の両側に係合端縁部を有し、係合端縁部には、前記第１側面板の突起ブロックセットに対応する位置に、位置決め孔を穿設してなり、前記突起ブロックセットを前記位置決め孔に嵌挿して前記第１側面板と第２側面板とを組み立ててキャリアケースの側壁を構成し、
前記２枚の蓋体は前記キャリアケースの側壁上に設けられ、キャリアケースの上面と底面とを覆い、
前記突起ブロックセットは、上部突起ブロックと下部突起ブロックとを含み、かつ上部突起ブロックと下部突起ブロックとの間に隙間を形成するとともに、前記上部突起ブロックは一端が上方に延伸して係止フック部を形成し、前記下部突起ブロックは一端が下方に延伸して係止フック部を形成し、
また、前記位置決め孔には、上部係止決め溝と下部係止溝とを形成し、前記上部係止溝には、前記上部突起ブロックの係止フック部が係止し、前記下部係止溝には下部突起ブロックの係止フック部が係止するようになっており、
前記突起ブロックセットの上部突起ブロックと下部突起ブロックとの間の隙間には、前記第１側面板との組み立てを完成させた状態において前記第２側面板の位置決め孔から固定栓が嵌挿され、
前記固定栓は、つまみ部と、前記つまみ部の一面の中央の位置から水平方向に突出して一体に形成される嵌挿部とを有し、前記固定栓を前記第２側面板の位置決め孔に嵌挿すると、前記つまみ部が対応の前記第２の側面板から突出し、前記上部突起ブロックと下部突起ブロックとの間の隙間に固定栓の嵌挿部が進入して、前記上部突起ブロックと下部突起ブロックとをそれぞれ上下方向に圧迫し、上部突起ブロックと下部突起ブロックとが上部係止溝及び下部係止溝から外れることを防止しするように構成したことを特徴とする基板のキャリアケース。
【請求項２】
前記固定栓の嵌挿部の上下面に横方向の突起ブロックをそれぞれ一体に形成し、前記第１側面板の上部突起ブロックと下部突起ブロックの前記嵌挿部の横方向の突起ブロックに対応する位置に横方向のガイド溝を形成し、前記嵌挿部が前記上部突起ブロックと下部突起ブロックとの間の隙間に進入した場合に、前記ガイド溝と横方向の突起ブロックとが係止するように構成したことを特徴とする請求項１に記載のキャリアケース。
【請求項３】
前記対向して設けられる２枚の第１側面板のそれぞれの内壁には、複数の基板を集中して収納するための収納溝を対応させて複数形成することを特徴とする請求項１に記載のキャリアケース。
【請求項４】
前記対向して設けられる２枚の第２側面板のそれぞれの内壁には、複数の基板を集中して収納するための収納溝を対応させて複数形成することを特徴とする請求項１に記載のキャリアケース。
【発明の詳細な説明】
【０００１】
【発明の属する技術分野】
この発明は、物品を搬送するためのキャリアケースに関し、特にガラス基板などの基板を搬送するための組み立て式のキャリアケースに関する。
【０００２】
【従来の技術】
図１に開示する基板のキャリアケースは、台湾特許公告第２８６６７２号「ガラス基板キャリアケース」によるものであって、前記キャリアケース１は底部が一体に成形されてなるケース本体１１と、蓋体１２とによってなる。また、前記キャリアケース１のケース本体１１と蓋体１２とは、いずれもポリオレフィン系の発泡体によって構成され、複数のガラス基板を集中して収納し搬送するために用いられる。
【０００３】
前記キャリアケース１は、ケース本体１１が一体成形によってなるため、製造上難度が高く歩留まりが低い。また、複数のガラス基板を集中して収納し搬送するため、前記キャリアケース１はかなりの体積を必要とする。通常ガラス基板を目的地に搬送した後は、空のキャリアケース１を工場に回収する。この場合、キャリアケース１がかなりの体積を有するため、積み重ねるとかなりの空間を占めることになり、運送コストについても、倉庫に保管するコストについても高くなり、経済的効果に適わない。
よって、業界においては、このような問題を改善するための新規なガラス基板のキャリアケースの提供が必要とされている。
【０００４】
【発明が解決しようとする課題】
この発明は、製造が容易で、かつ製造コストを低減することのできる基板のキャリアケースを提供することを課題とする。
【０００５】
また、この発明は、簡易な操作で組み立て／分解でき、回収、もしくは倉庫に保管する場合、占める空間を大幅に低減することのできる基板のキャリアケースを提供することを課題とする。
【０００６】
【課題を解決するための手段】
そこで、本発明者は、従来の技術に見られる上述の欠点に鑑みて鋭意研究を重ね、対向して設けられる２枚の側面板と、同様に対向して設けられる２枚の側面板とを着脱自在に組み合わせてキャリアケースの側壁を形成し、前記キャリアケースの側壁の上面と底面を覆う蓋体を別途設ける組み立て式のキャリアケースの構造に着目して、この発明の完成に至った。
【０００７】
以下に詳述する。請求項１に記載する基板のキャリアケースは、組み立て式のキャリアケースであって、対向して設けられる２枚の第１側面板と、同様に対向して設けられる２枚の第２側面板と、２枚の蓋体とによってなる。前記２枚の第１側面板はそれぞれ左右に垂直側端縁部を有し、前記垂直側端縁部には少なくとも１組以上の水平方向に延伸する突起ブロックセットを一体に形成してなり、前記２枚の第２側面板はそれぞれ左右の両側に係合端縁部を有し、係合端縁部には、前記第１側面板の突起ブロックセットに対応する位置に、位置決め孔を穿設してなり、前記突起ブロックセットを前記位置決め孔に嵌挿して前記第１側面板と第２側面板とを組み立ててキャリアケースの側壁を構成する。前記２枚の蓋体は前記キャリアケースの側壁上に設けられ、キャリアケースの上面と底面とを覆い、
前記突起ブロックセットは、上部突起ブロックと下部突起ブロックとを含み、かつ上部突起ブロックと下部突起ブロックとの間に隙間を形成するとともに、前記上部突起ブロックは一端が上方に延伸して係止フック部を形成し、前記下部突起ブロックは一端が下方に延伸して係止フック部を形成し、
また、前記位置決め孔には、上部係止決め溝と下部係止溝とを形成し、前記上部係止溝には、前記上部突起ブロックの係止フック部が係止し、前記下部係止溝には下部突起ブロックの係止フック部が係止するようになっており、
前記突起ブロックセットの上部突起ブロックと下部突起ブロックとの間の隙間には、前記第１側面板との組み立てを完成させた状態において前記第２側面板の位置決め孔から固定栓が嵌挿され、
前記固定栓は、つまみ部と、前記つまみ部の一面の中央の位置から水平方向に突出して一体に形成される嵌挿部とを有し、前記固定栓を前記第２側面板の位置決め孔に嵌挿すると、前記つまみ部が対応の前記第２の側面板から突出し、前記上部突起ブロックと下部突起ブロックとの間の隙間に固定栓の嵌挿部が進入して、前記上部突起ブロックと下部突起ブロックとをそれぞれ上下方向に圧迫し、上部突起ブロックと下部突起ブロックとが上部係止溝及び下部係止溝から外れることを防止するように構成した。
【００１１】
請求項２に記載する基板のキャリアケースは、請求項１における固定栓の嵌挿部上下面に横方向の突起ブロックをそれぞれ一体に形成し、前記第１側面板の上部突起ブロックと下部突起ブロックの前記嵌挿部の横方向の突起ブロックに対応する位置に横方向のガイド溝を形成し、前記嵌挿部が前記上部突起ブロックと下部突起ブロックとの間の隙間に進入した場合に、前記ガイド溝と横方向の突起ブロックとが係止するように構成する。
【００１２】
請求項３に記載する基板のキャリアケースは、請求項１の対向して設けられる２枚の第１側面板のそれぞれの内壁に、複数の基板を集中して収納するための収納溝を対応させて複数形成する。
【００１３】
請求項４に記載する基盤のキャリアケースは、請求項１の対向して設けられる２枚の第２側面板のそれぞれの内壁には、複数の基板を集中して収納するための収納溝を対応させて複数形成する。
【００１４】
【発明の実施の形態】
この発明は、ガラス基板などの基板を搬送するためのキャリアケースに関し、製造が容易で、かつ製造コストを低減することができるとともに、簡易な操作で組み立て／分解できるようにするために、組み立て式の構造を採用した。即ち、構成する対向して設けられる２枚の側面板と、同様に対向して設けられる２枚の側面板とを着脱自在に組み合わせてキャリアケースの側壁を形成し、前記キャリアケースの側壁の上面と底面を覆う蓋体を別途設けて構成する。
かかる基板のキャリアケースの構造と特徴を詳述するために、具体的な実施例を挙げ、図示を参照にして以下に説明する。
【００１５】
図２に、この発明による基板のキャリアケース２を開示する。図示によれば、キャリアケース２は、対向して設けられる第１側面板２１、２２と、同様に対向して設けられる第２側面板２３、２４を含んでなり、前記第１側面板２１、２２と、第２側面板２３、２４とを組み合わせることによってキャリアケース２の側壁を構成し、さらに前記側壁の上面、及び底面をそれぞれ蓋体２５、２６によって覆い、キャリアケース２の組み立てを完成させる。前記第１側面板２１、２２はそれぞれ同様の構造を有し、第２側面板２３、２４も、それぞれ同様の構造を有し、かつ蓋体２５、２６もそれぞれ同様の構造を有する。
【００１６】
第１側面板２１を例として、それぞれの第１側面板の構造を説明する。図３に開示するように、第１側面板２１は、左右対称の垂直側端縁部２１１、２１２を有し、垂直側端縁部２１１を例に挙げれば、前記垂直側端縁部２１１は水平方向に延伸する突起ブロックセット２１３、２１４を一体に形成してなり、それぞれの突起ブロックセット２１３、２１４の間は所定の間隔を置く。
【００１７】
それぞれの突起ブロックセット２１３、２１４は、突起ブロックセット２１３を例に挙げれば、上部突起ブロック２１５と下部突起ブロック２１６とを含み、前記上部突起ブロック２１５は一端が上方に延伸して係止フック部を形成し、前記下部突起ブロック２１６は一端が下方に延伸して係止フック部を形成する。また、上部突起ブロック２１５と下部突起ブロック２１６とは所定の間隔を置いて形成し、隙間１７を形成する。
【００１８】
また、第１側面板２１には、内壁に複数の収納溝２１０を形成し、対向して設けられる第１側面板２２に形成される収納溝２１０と対応して複数の基板を集中して収納する。前記収納溝２１０は、第１側面板２１、２２だけに限らず、対向して設けられる第２側面板２３、２４の内壁に形成して、第２側面板２３、２４間においても複数の基板を集中して収納できるようにしてもよい。
【００１９】
第２側面板２３を例として、それぞれの第２側面板の構造を説明する。図４に開示するように、第２側面板２３は、左右の両側に係合端縁部２３１２３２を有し、係合端縁部２３１を例に挙げれば、前記係合端縁部２３１は、第１側面板２１の突起ブロックセット２１３、２１４に対応する位置に、上下それぞれ位置決め孔２３３２３４を穿設する。また、それぞれの位置決め孔２３３２３４は、外面開口部の上下に段差をつけて上部係止決め溝図示しないと、下部係止溝２３６とを形成する。前記上部係止溝には、第１側面板２１の突起ブロックセット２１３、２１４を構成する上部突起ブロック２１５の係止フック部が係止し、前記下部係止溝２６には下部突起ブロック２１６の係止フック部が係止する。
【００２０】
図５、図６に、第１側面板２１と第２側面板２３との組み立てを開示する。図示によれば、第１側面板２１の突起ブロックセット２１３、２１４は、それぞれ第２側面板２３の上部位置決め孔２３３と下部位置決め孔２３４と挿入され、かつ上部突起ブロック２１５の係止フック部が上部係止溝に、下部突起ブロック２１６の係止フック部が下部係止溝２６にそれぞれ係止して、第１側面板２１と第２側面板２３とが組み立てられた状態を保持する。かかる方式によって、第１側面下２１、２２と、第２側面板２３、２４とをそれぞれ組み立てて、図２に開示するキャリアケース２の側壁を構成する。
【００２１】
前述の第１側面下２１、２２と、第２側面板２３、２４とを組み立ててなるキャリアケース２の側壁の結合状態をさらに安定させるために、別途複数の固定栓２７２８を設ける。固定栓２７を例に挙げれば、固定栓２７は、つまみ部２７１と嵌挿部２７２とによってなり、前記嵌挿部２７２は、つまみ部２７１の一面の略中央の位置から水平方向に突出して一体に形成される。第１側面板２１との組み立てを完成させた状態の第２側面板２３の上部位置決め孔２３３に固定栓２７を設ける場合、前記固定栓２７の嵌挿部２７２が上部突起ブロック２１５と下部突起ブロック２１６との間の隙間２１７内に嵌挿されて、前記上部突起ブロック２１５と下部突起ブロック２１６とをそれぞれ上下方向に圧迫する。このため上部突起ブロック２１５と下部突起ブロック２１６とが、上部係止溝及び下部係止溝２３６から外れることを防ぎ、さらに固定した結合状態を得ることができる。
【００２２】
また、固定栓２７が外れることを防ぐために、図３に開示するように、第１側面板の上部突起ブロック２１５と下部突起ブロック２１６とには横方向にガイド溝２１８、２１９を形成する。また、図５に開示するように固定栓２７の嵌挿部２７２の上下面で、前記ガイド溝２１８、２１９に対応する位置に横方向の突起ブロック２７５、２７６をそれぞれ一体に形成する。よって、図６に開示するように固定栓２７を前記隙間２１７に嵌挿する場合に前記突起ブロック２７５、２７６が前記ガイド溝２１８、２１９に係止して固定栓２７が外れなくなる。
【００２３】
キャリアケース２は基板、もしくはガラス基板を集中して収納するため、第１側面板２１、２２、第２側面板２３、２４、及び蓋体２５、２６の材質は緩衝作用を具え、かつ耐振動特性を具えていなければならない。また、この発明による組み立て式の基板キャリアケース２の構造は、固定栓２７の嵌挿部２７２を隙間２１７に嵌挿するため、固定栓２７のつまみ部２７１がキャリアケース２の側壁表面に突出して設けられ、側壁に対する緩衝、耐振動効果をさらに得ることができる。
【００２４】
この発明によるキャリアケース２は、第１側面板２１、２２と、第２側面板２３、２４と、蓋隊２５、２６とを製造するだけで、これら部材を簡易な作業で組み立てることができる。しかも、製造が容易であり、従来の技術による一般的な射出成形、もしく発泡成形技術によって製造することができ、従来の技術に見られる一体成形の製造の難しさを改善し、製造の歩留まりを高めることができる。よって、全体的な製造コストを大幅に低減することができる。
【００２５】
また、この発明によるキャリアケース２は、第１側面板２１、２２と、第２側面板２３、２４と、蓋隊２５、２６とを組み立ててなる。当然のことながら、簡易な作業で分解して第１側面板２１、２２と、第２側面板２３、２４と、蓋隊２５、２６とにすることができる。よって、基板を目的地に搬送した後キャリアケース２を分解して回収することができるので、運送と保管のコストを節減することができる。
【００２６】
以上はこの発明の好ましい実施例であって、この発明の実施の範囲を限定するものではない。よって、当業者のなし得る修正、もしくは変更であって、この発明に対して均等の効果を具えるものは、いずれも特許請求の範囲に属するものとする。
【００２７】
【発明の効果】
この発明による基板のキャリアケースは、従来の射出成形、もしくは発泡成形などの技術を応用して容易に製造することができるため、高い歩留まりを得ることができる。よって、製造コストを全体的に低減する効果が得られる。
【００２８】
また、この発明による基板のキャリアケースは、簡易な操作で組み立て／分解でき、回収、もしくは倉庫に保管する場合、占める空間を大幅に低減することができ、運送、保管のコストを節減する効果が得られる。
【図面の簡単な説明】
【図１】従来のガラス基板のキャリアケースを表わす斜視図である。
【図２】この発明によるガラス基板のキャリアケースを表わす分解図である。
【図３】図２に開示するガラス基板のキャリアケースの第１側面板を表わす斜視図である。
【図４】図２に開示するガラス基板のキャリアケースの第２側面板を表わす斜視図である。
【図５】図３に開示する第１側面板と、図４に開示する第２側面板とを連結した状態の斜視図である。
【図６】図５に開示する第１側面板と、第２側面板との連結部分の局部断面である。
【符号の説明】
２…キャリアケース
２１…第１側面板
２２…第１側面板
２３…第２側面板
２４…第２側面板
２５…蓋体
２６…蓋体
２７…固定栓
２８…固定栓
２１０…収納溝
２１１…垂直側縁部
２１２…垂直側縁部
２１３…突起ブロックセット
２１４…突起ブロックセット
２１５…上部突起ブロック
２１６…下部突起ブロック
２１７…隙間
２１８…ガイド溝
２１９…ガイド溝
２３１…係合端縁部
２３２…係合端縁部
２３３…位置決め孔
２３４…位置決め孔
２３６…下部係止溝
２７１…つまみ部
２７２…嵌挿部
２７５…突起ブロック
２７６…突起ブロック
【図１】
0004220179.tif 000002
【図２】
0004220179.tif 000003
【図３】
0004220179.tif 000004
【図４】
0004220179.tif 000005
【図５】
0004220179.tif 000006
【図６】
0004220179.tif 000007